(57)【要約】【課題】血管壁や体腔壁などの治療部位に効率よく薬液を噴霧できる圧力注射器及び圧力注射器用カテーテルを提供する。【解決手段】注射針１は、断面が円筒形を成し、側壁から薬液を噴射する１個以上の噴射孔１１ａを設けた筒体１１と、該筒体１１の先端を鋭角に閉じるための閉塞部材１２と、圧力注射器に取り付けられるために該筒体１１の後端部に固着された取付部材１３から成り、カテーテル２は、断面が円筒形を成し、先端が閉じられ、側壁から薬液を噴射する１個以上の噴射孔２１ａを設けた筒体２１と、該筒体２１の後端部に固着された取付部材２２から成る。これにより、先端部の側面から薬液が噴射できる。【選択図】      図１
2004283239.tif 000002
【特許請求の範囲】
【請求項１】
ノズル内に吸入された薬液に圧力を加え、前記ノズルに取付けられた注射針から前記薬液を高速で噴射する圧力注射器であって、前記注射針は、先端が閉じられ、側方から薬液を噴射する１個以上の噴射孔が穿設されていることを特徴とする圧力注射器。
【請求項２】
ノズル内に吸入された薬液に圧力を加え、前記ノズルの噴射孔から前記薬液を高速で噴射する手段を備えた圧力注射器のノズルに交換可能に取付けられるカテーテルであって、先端が閉じられ、側方から薬液を噴射する１個以上の噴射孔が穿設されるとともに、前記ノズルへの取付側には、ノズルのねじ部に螺合するねじが内周面に形成された円筒状の取付部材が固着されていることを特徴とする圧力注射器用カテーテル。
【発明の詳細な説明】
【０００１】
【発明の属する技術分野】
本発明は、薬液を噴射させて注射する圧力注射器及び圧力注射器用カテーテルに関し、特に血管壁や横広がりのある組織に効率よく薬液を注入できる圧力注射器及び圧力注射器用カテーテルに関する。
【０００２】
【従来の技術】
従来から使用されている針付注射器は、皮下に挿入するため注射時に痛みを伴う上に、注射痕が残ったり注射ミスを起こすなどのために、最近では薬液をジェット噴射させて注射する圧力注射器、すなわち針無注射器が多く使用されている（例えば、特許文献１参照。）。
【０００３】
従来、このような針無注射器においては、一般に図７に示すような圧縮部６７内に設けられた圧縮バネ（図示せず）を利用してノズル６２内のピストン６８を高速で移動させ、薬液をジェット噴射させる方式が多用されている。すなわち、先端側に噴射孔６２ａを有したノズル６２を装着した前側筒体６４と、ピストンロッド６３をラッチしたり解除したりするラッチ機構７２を内設した後側筒体６５とをネジ部６９で螺合した筒体６６の中心軸に、ピストンロッド６３を配置している。前記ピストンロッド６３の先端部にはやじり状のピストン６８を連結し、ピストンロッド６３の中心部分には圧縮バネを巻着し、ピストンロッド６３を後方に移動させることにより先端側への付勢力を与える圧縮部６７が設けられている。
【０００４】
上記針無注射器６１を薬液バイアル（図示せず）に当てがい薬液を吸入した後、注射部位にノズル先端を当てがい、ラッチ解除ボタン７２ａを押すと、ラッチボール７１が凹み７０から飛び出し、ピストンロッド６３はラッチ機構７２から解放され、前記圧縮部６７での先端側への付勢力により高速でピストン６８を前進させ、薬液は注射部位に注入される。このような針無注射器は、噴射孔６２ａからその前方に向けて薬液が噴霧状態で注射されるので、噴射孔６２ａから前方に位置する注射部位に対しては薬液の吸収効率は従来の針付注射器より向上するが、注射器から噴射される薬液の到達範囲は大体皮下脂肪層までに限られている。このため、深部の組織や血管壁、体腔壁などを注射部位とする場合には、従来の針付注射器やカテーテルを注射器に結合して、その先端から薬液を注入する方法が用いられている。
【０００５】
【特許文献１】
特開２０００−２３３０２１号公報
【０００６】
【発明が解決しようとする課題】
上記のように、深部の組織や血管壁、体腔壁に対しては、従来の針付注射針やカテーテルを結合した注射器が使用されているが、これらの注射器では、薬液が注射針やカテーテルの先端から前方に射出されるので、横方向に広がりのある組織や血管壁あるいは体腔壁などの周辺一帯の注射部位に注射する場合、薬液が注射部位に向かう方向、すなわち正面方向から射出されず、例えばカテーテル６から血管７に注射する場合、図８に見られるように注射部位８に対して傾斜した角度から射出されるため、射出された薬液９のうち注射部位に到達する薬液量は少なく、注射効率が低いという問題がある。
本発明は、噴霧状態で横広がりの組織や血管壁、体腔壁などの管壁に効率よく薬液を注射することができる圧力注射器及び圧力注射器用カテーテルを提供することを目的とする。
【０００７】
【課題を解決するための手段】
上記の目的を達成するため、本発明の圧力注射器は、ノズル内に吸入された薬液に圧力を加え、前記ノズルに取り付けられた注射針から前記薬液を高速で噴射するもので、前記注射針は、先端が閉じられ、側方から薬液を噴射する１個以上の噴射孔が穿設されている。
また、本発明の圧力注射器用カテーテルは、ノズル内に吸入された薬液に圧力を加え、前記ノズルの噴射孔から前記薬液を高速で噴射する手段を備えた圧力注射器のノズルに交換可能に取付けられるもので、先端が閉じられ、側方から薬液を噴射する１個以上の噴射孔が穿設されるとともに、前記ノズルへの取付側には、ノズルのねじ部に螺合するねじが内周面に形成された円筒状の取付部材が固着されている。
本発明の圧力注射器及び圧力注射器用カテーテルは、上記のように構成されており、血管壁や体腔壁などこれまで効率的な注射が困難であった注射部位に薬液を効率よく注射することができる。
【０００８】
【発明の実施の形態】
以下、本発明による圧力注射器及び圧力注射器用カテーテルの実施例を図面を参照しながら説明する。図１（ａ）は、本発明の圧力注射器における注射針１の構成を示す側面断面図、図１（ｂ）は本発明の圧力注射器用カテーテル２の構成を示す側面断面図、図１（ｃ）は、図１（ａ）、（ｂ）におけるＡ−Ａ側から見た断面図である。
【０００９】
本発明の圧力注射器における注射針１は、図１（ａ）、（ｃ）に示すように断面が円筒形を成し、側壁に１個以上の噴射孔１１ａを設けた金属製の筒体１１と、該筒体１１の先端側を閉じるために挿入固着された金属製の閉塞部材１２と、本注射針１を後述の圧力注射器本体３に取り付けるためのネジ部１３ａを形成して、前記筒体１１の後端側面に固着された取付部材１３から構成されている。注射針１の先端は、図１（ａ）に示すように体内に挿入しやすい鋭角となるよう前記筒体１１と閉塞部材１２は一体で加工されている。
【００１０】
前記注射針１に、図１（ａ）の矢印で示した方向から薬液を高圧で流し込むと、この薬液は、図２の点線で示した噴霧範囲５に、各噴射孔１１ａから逆円錐状に噴射され、噴射孔１１ａの周辺の注射部位に噴霧される。前記噴射孔１１ａの大きさと個数は、注射針の大きさや液体に加えられる圧力に対応して選ばれるものであるが、注射針１の軸方向に噴射孔１１ａの個数を増やすほど、軸方向により分散して薬液を噴霧することができ、また円周方向に噴射孔１１ａの個数を増やすほど側辺方向により分散して薬液を噴霧することができる。また、噴射孔１１ａの形状を外側方向に向って広くすることにより、薬液はより広角度に噴霧される。
【００１１】
次に、本発明のカテーテル２は、図１（ｂ）、（ｃ）に示すように断面が円筒形を成すと共に先端が閉じられ、側壁に１個以上の噴射孔２１ａを設けた金属製もしくは樹脂製の筒体２１と、本カテーテル２を後述の圧力注射器本体３に取り付けるために、前記筒体２１の後端側面に固着された取付部材２２から構成されている。なお、前記筒体２１の先端は、カテーテル２が血管などの器官内に挿入しやすいように球形状に加工されているのが望ましい。
【００１２】
前記カテーテル２に、図１（ｂ）の矢印で示した方向から薬液を高圧で流し込むと、薬液は図２の点線で示した噴霧範囲５に、各噴射孔２１ａから噴射し、噴射孔２１ａの周辺の注射部位に噴霧される。前記噴射孔２１ａの大きさと個数は、カテーテル２の大きさ、液体に加えられる圧力および注射部位に対応して選ばれるものであるが、この場合もカテーテル２の軸方向に噴射孔２１ａの個数を増やすほど、軸方向により分散して薬液を噴霧することができ、また円周方向に噴射孔２１ａを増やすほど側辺方向により分散して薬液を噴霧することができる。
【００１３】
図３は、前記カテーテル２が血管７内に挿入され、薬液９が噴霧されている状態を示したものである。薬液９は、噴射孔２１ａから逆円錐状に噴射し、所望の血管壁を構成する組織に分散して噴霧されるので、薬液９の大部分はは効率よく所望の注射部位８に吸収される。
【００１４】
図４は、前記注射針１を使用した圧力注射器の構成を示す一部断面外観図である。図に示すように、本圧力注射器は、基本的には薬液を噴射する注射針１を取り付けるノズル３１を先端に螺合した第１グリップ３２と、該第１グリップ３２に対して回転摺動させることにより、前記ノズル３１内に所定の薬液量を吸入させる第２グリップ３３と、該第２グリップ３３に係止された状態で、押し込むことにより薬液を前記注射針１から噴射させるリリースボタン３４等から構成される圧力注射器本体３を備えている。
【００１５】
前記ノズル３１は、図５（ａ）の拡大断面図に示すように、注射針１の取付部材１３の内周面に形成された雌ねじに螺合する雄ねじが形成されたネジ部材３１ａを一体成型により固着すると共に、その内部には、吸引された薬液が入る薬液室（シリンダ室）３５を形成している。前記取付部材１３の表面は図５（ｂ）に示すようにすべり止め用にローレット加工が施されており、この部分を持って前記ネジ部材３１に当てがい回転しながら押し込むことにより、取付部材１３を容易にネジ部材３１ａに螺着でき、また、逆に回すことにより容易に取り外すことができる。
【００１６】
そして、薬液室３５の内部には、往復摺動できるようにしてピストン３６が配設されており、薬液を吸引するときはピストン３６に連結されたピストンロッド３７が引き下げられ、逆に薬液を噴射する時は圧縮バネ３８を開放して、その反発力によってピストン３６を急激に押し上げるようにしたもので、ノズル３１を除いては図７に示した通常の針無注射器と同様の薬液噴射を行う構造が用いられている。
【００１７】
上記のように、圧力注射器本体３には、先端側の側壁に１個以上の前記噴射孔１１ａのある長い注射針１が付いているため、薬液バイアル（図示せず）に注射針１を挿入して所定の薬液量を前記薬液室３５に吸入した状態で、所望の組織に挿入して注射することができる。
【００１８】
前記圧力注射器本体３は、図５（ａ）、（ｂ）に示した前記注射針１の代わりに前記カテーテル２を取り付けることができる。この圧力注射器は、注射針１を用いた場合に比べて、さらに深部の組織や血管内に挿入して薬液を注射することができる。
所定の組織内に注射を行うには、先ず圧力注射器に固定されたカテーテル２を薬液バイアル（図示せず）に挿入して所定の薬液量を前記薬液室３５に吸入した後、図３のように血管７内にカテーテル２を挿入し、前記リリースボタン３４を押して薬液を噴射する。また、頭部のような取扱いに細心の注意を要する治療部位にカテーテル２を挿入する場合は、例えば図６に示すような脳ナビゲータ４を用いて行う。本脳ナビゲータ４は、予めＣＴやＭＲＩで撮影された多数の頭部断層画像を画像信号に変換するイメージスキャナ４１と、この画像信号を読み込むコンピュータ４２と、磁場ソース４３により発生した磁場上を移動するカテーテル２の先端と方向を検知する三次元位置計測装置４４と、頭部画像上にカテーテル２の位置を表示するＣＲＴ４５から構成されている。この脳ナビゲータ４を用いることにより、カテーテル２の位置はＣＲＴ４５の頭部画像上に合わせて表示されるので、カテーテル２を確実に注射部位に近づけることができる。
【００１９】
本発明の圧力注射器用注射針及びカテーテルは、先端を閉じ、側面から薬液を噴射する１個以上の噴射孔を先端部の側面に設けたことを特徴とするものであり、本実施例に示した構成や形状に限定されるものではない。
【００２０】
【発明の効果】
本発明による圧力注射器は、上記のように構成されることにより、下記のような点において性能が向上する。
・薬液の噴射孔を注射針やカテーテルの側方に設けたことにより、血管壁や横方向に広がりのある組織に対して、効率よく薬液を噴射することができる。
・注射針及びカテーテルは、容易に交換ができるので、注射の都度交換することにより衛生的に注射が行える。
【図面の簡単な説明】
【図１】実施例による注射針の側面断面図（ａ）、カテーテルの側面断面図（ｂ）、及びそのＡ−Ａ断面図（ｃ）である。
【図２】本発明の注射針及びカテーテルの薬液噴射範囲を示す図である。
【図３】本発明のカテーテルによる血管壁への薬液噴霧状態図である。
【図４】本発明の注射針を用いた圧力注射器の構成を示す一部断面外観図である。
【図５】実施例に係わるノズル及び注射針の拡大断面図（ａ）とその外観図である。
【図６】脳ナビゲータの構成図である。
【図７】従来の圧力注射器の構成図である。
【図８】従来のカテーテルによる血管壁への薬液噴霧状態図である。
【符号の説明】
１  注射針
２  カテーテル
３  圧力注射器本体
４  脳ナビゲータ
５  噴霧範囲
７  血管
８  注射部位
９  薬液
１１  筒体
１１ａ、２１ａ  噴射孔
１２  閉塞部材
１３、２２  取付部材
１３ａ、２２ａ  ネジ部
２１  筒体
３１  ノズル
３１ａ  ネジ部材
３２  第１グリップ
３３  第２グリップ
３４  リリースボタン
３５  薬液室
３６  ピストン
３７  ピストンロッド
３８  圧縮バネ
４１  イメージスキャナ
４２  コンピュータ
４３  磁場ソース
４４  三次元位置計測装置
４５  ＣＲＴ
【図１】
2004283239.tif 000003
【図２】
2004283239.tif 000004
【図３】
2004283239.tif 000005
【図４】
2004283239.tif 000006
【図５】
2004283239.tif 000007
【図６】
2004283239.tif 000008
【図７】
2004283239.tif 000009
【図８】
2004283239.tif 000010